(57)【要約】【課題】本体側と熱源機側とを適切に連携させた運転を実行することができるコージェネレーションシステム、及びそれを備えた暖房設備を提供する。【解決手段】本体側制御部９５が、冷却水循環路４２の冷却水と冷却水バイパス路４３の冷却水が合流した下流側の冷却水合流温度に基づいて、冷却水バイパス路４３への冷却水配分流量を制御する冷却水循環状態制御を実行すると共に、本体側制御部９５が、通信部９６を介して、暖房運転において熱源機側熱媒吐出部１６ｂから吐出される熱媒の吐出温度の目標温度を受信し、当該目標温度と、暖房用循環路３４の熱媒と熱媒バイパス路１０４ｂの熱媒が合流した下流側の熱媒合流温度、及び暖房用熱交換器５６の出口冷却水温度に基づいて、熱媒バイパス路１０４ｂへの熱媒配分流量を制御する熱媒循環状態制御を実行する。【選択図】図５
2016205751.tif 000002
【特許請求の範囲】
【請求項１】
熱源機側熱媒受入部から受け入れた熱媒を予め設定された設定暖房熱媒温度に加熱し、加熱された熱媒を熱源機側熱媒吐出部から吐出して暖房用循環路にて暖房放熱器へ導く暖房運転を実行可能な熱源機に併設され、
電力と熱とを発生する熱電併給部と、
前記熱電併給部で発生した熱を回収する冷却水を循環する冷却水循環路と、
運転を制御する本体側制御部を備えたコージェネレーションシステムであって、
前記冷却水循環路の冷却水の一部または全部を、貯湯タンク内部の貯湯用熱交換器に通流して、貯湯タンクに貯留される湯水を加熱する冷却水バイパス路と、
前記暖房用循環路において、前記暖房放熱器を通過した後の熱媒の一部または全部を本体側に通流させる熱媒バイパス路と、
前記冷却水循環路を通流する冷却水と前記熱媒バイパス路を通流する熱媒とを熱交換させる暖房用熱交換器と、
前記熱源機と通信する通信部とを備え、
前記本体側制御部が、前記冷却水循環路の冷却水と前記冷却水バイパス路の冷却水が合流した下流側の冷却水合流温度に基づいて、前記冷却水バイパス路への冷却水配分流量を制御する冷却水循環状態制御を実行すると共に、
前記本体側制御部が、前記通信部を介して、前記暖房運転において前記熱源機側熱媒吐出部から吐出される熱媒の吐出温度の目標温度を受信し、当該目標温度と、前記暖房用循環路の熱媒と前記熱媒バイパス路の熱媒が合流した下流側の熱媒合流温度、及び前記暖房用熱交換器の出口冷却水温度に基づいて、前記熱媒バイパス路への熱媒配分流量を制御する熱媒循環状態制御を実行するコージェネレーションシステム。
【請求項２】
前記本体側制御部が、前記冷却水合流温度が、前記熱電併給部にて許容される下限許容温度より高い温度である第１温度になるように、前記冷却水循環状態制御を実行する請求項１に記載のコージェネレーションシステム。
【請求項３】
前記本体側制御部が、前記貯湯用熱交換器の出口冷却水温度が前記貯湯用熱交換器の入口冷却水温度よりも所定温度以上高い場合、前記冷却水バイパス路を通流する冷却水の流量を零として、前記冷却水循環状態制御を実行する請求項２に記載のコージェネレーションシステム。
【請求項４】
前記本体側制御部が、前記暖房用熱交換器の出口冷却水温度が第１閾値以上になると、前記熱媒合流温度が前記目標温度になるように制御を切り換え、前記暖房用熱交換器の出口冷却水温度が第１閾値より低い第２閾値以下になると、前記暖房用熱交換器の出口冷却水温度が前記第１温度より高い第２温度になるように制御を切り換えて、前記熱媒循環状態制御を実行する請求項２に記載のコージェネレーションシステム。
【請求項５】
前記本体側制御部が、前記暖房用熱交換器の入口冷却水温度が前記暖房用熱交換器の出口冷却水温度よりも所定温度以上高い場合、前記熱媒バイパス路を通流する熱媒の流量を零として、前記熱媒循環状態制御を実行する請求項４に記載のコージェネレーションシステム。
【請求項６】
請求項１〜５の何れか一項に記載のコージェネレーションシステムを備えた暖房設備であって、
前記コージェネレーションシステムと前記熱源機とを、互いの間に熱媒を循環させる前記暖房用循環路を介して接続している暖房設備。
【発明の詳細な説明】
【技術分野】
【０００１】
本発明は、熱源機側熱媒受入部から受け入れた熱媒を予め設定された設定暖房熱媒温度に加熱し、加熱された熱媒を熱源機側熱媒吐出部から吐出して暖房用循環路にて暖房放熱器へ導く暖房運転を実行可能な熱源機に併設され、電力と熱とを発生する熱電併給部と、前記熱電併給部で発生した熱を回収する冷却水を循環する冷却水循環路と、運転を制御する本体側制御部を備えたコージェネレーションシステム及び暖房設備に関する。
【背景技術】
【０００２】
コージェネレーションシステムは、通常、ガスエンジンにて駆動される発電装置（以下、エンジン駆動発電機と略称する場合がある）や、燃料電池などから構成される熱電併給部を備え、当該熱電併給部で発電を行ったときに発生する熱を利用して湯水を加熱し、当該加熱された湯水を貯湯タンクに貯留するように構成されている。
説明を追加すると、コージェネレーションシステム本体として、熱電併給部にて発生する熱を回収した冷却水を循環する冷却水循環路と、貯湯タンクの下部の湯水を取り出して貯湯タンクの上部へ戻す湯水循環路と、冷却水循環路を循環する冷却水と湯水循環路を循環する湯水とを熱交換する排熱回収熱交換器と、冷却水循環路に冷却水を循環する冷却水ポンプと、湯水循環路に湯水を循環させる湯水ポンプとを備えたものが知られている。
【０００３】
更に、このようなコージェネレーションシステムの一つの形態として、コージェネレーションシステム本体に併設して、床暖房設備等の暖房放熱器へ熱媒を循環する熱媒循環路と、当該熱媒循環路を循環する熱媒を圧送する熱媒ポンプと、熱媒循環路を循環する熱媒を加熱する熱源機を併設したものが知られている（特許文献１を参照）。
【０００４】
当該特許文献１に開示の技術では、熱媒循環路において、熱媒循環路を通流する熱媒と湯水循環路を通流する湯水とを熱交換する暖房用熱交換器が設けられており、暖房放熱器へは、暖房用熱交換器にて加熱されると共に熱源機にて加熱された後の熱媒が通流することとなる。これにより、暖房放熱器から熱を放熱する暖房運転を行う場合、コージェネレーションシステムにて発生した熱を、当該コージェネレーションシステムに併設される熱源機側の暖房放熱器へ供給できるようになっている。
【先行技術文献】
【特許文献】
【０００５】
【特許文献１】特開２００６−２９７４５号公報
【発明の概要】
【発明が解決しようとする課題】
【０００６】
上記特許文献１に開示の技術において、暖房運転を実行する場合、熱源機側において、熱媒循環路に熱媒を圧送する熱媒ポンプが備えられているのに加えて、コ−ジェネレーションシステム側において、湯水循環路に湯水を圧送する湯水ポンプを備える構成を採用する必要があり、構成が比較的複雑となっていた。また、暖房運転を実行する場合には、熱媒ポンプと湯水ポンプとの双方を駆動させる必要があり、省エネ性の観点で改善の余地があった。
ここで、例えば、湯水循環路に湯水を圧送する湯水ポンプを省略する構成が考えられるが、当該構成を採用する場合に、冷却水循環路に冷却水を循環する冷却水循環状態制御や、熱媒循環路に熱媒を循環する熱媒循環状態制御を行うための具体的な方法は、特許文献１には開示も示唆もされていなかった。
【０００７】
本発明は、かかる点に着目してなされたものであり、その目的は、コージェネレーションシステムの本体と、暖房放熱器へ循環される熱媒を加熱する熱源機とが別体に構成されているものにおいて、コージェネレーションシステムの本体において、湯水循環ポンプを省略した簡易な構成を採用しながらも、本体側と熱源機側とを適切に連携させた運転を実行することができるコージェネレーションシステム、及びそれを備えた暖房設備を提供する点にある。
【課題を解決するための手段】
【０００８】
上記目的を達成するための本願に係るコージェネレーションシステムは、
熱源機側熱媒受入部から受け入れた熱媒を予め設定された設定暖房熱媒温度に加熱し、加熱された熱媒を熱源機側熱媒吐出部から吐出して暖房用循環路にて暖房放熱器へ導く暖房運転を実行可能な熱源機に併設され、
電力と熱とを発生する熱電併給部と、
前記熱電併給部で発生した熱を回収する冷却水を循環する冷却水循環路と、
運転を制御する本体側制御部を備えたコージェネレーションシステムであって、その特徴構成は、
前記冷却水循環路の冷却水の一部または全部を、貯湯タンク内部の貯湯用熱交換器に通流して、貯湯タンクに貯留される湯水を加熱する冷却水バイパス路と、
前記暖房用循環路において、前記暖房放熱器を通過した後の熱媒の一部または全部を本体側に通流させる熱媒バイパス路と、
前記冷却水循環路を通流する冷却水と前記熱媒バイパス路を通流する熱媒とを熱交換させる暖房用熱交換器と、
前記熱源機と通信する通信部とを備え、
前記本体側制御部が、前記冷却水循環路の冷却水と前記冷却水バイパス路の冷却水が合流した下流側の冷却水合流温度に基づいて、前記冷却水バイパス路への冷却水配分流量を制御する冷却水循環状態制御を実行すると共に、
前記本体側制御部が、前記通信部を介して、前記暖房運転において前記熱源機側熱媒吐出部から吐出される熱媒の吐出温度の目標温度を受信し、当該目標温度と、前記暖房用循環路の熱媒と前記熱媒バイパス路の熱媒が合流した下流側の熱媒合流温度、及び前記暖房用熱交換器の出口冷却水温度に基づいて、前記熱媒バイパス路への熱媒配分流量を制御する熱媒循環状態制御を実行する点にある。
【０００９】
上記特徴構成によれば、従来技術でコージェネレーションシステムの側に設けられていた湯水循環路、及び当該湯水循環路に湯水を循環する湯水ポンプを備えない比較的簡易な構成を採用することができる。
説明を追加すると、上記構成によれば、冷却水循環路を循環する冷却水が回収した熱電併給部の熱は、冷却水バイパス路で貯湯タンク内に設けられる貯湯用熱交換器にて放熱される形態で、貯湯タンク内の湯水へ貯留される。
更に、暖房用循環路を循環する熱媒は、熱媒パイパス路に設けられる暖房用熱交換器にて、冷却水循環路を循環する冷却水（例えば、熱電併給部を通過した直後の冷却水）と熱交換する形態で、熱電併給部の排熱を回収することができ、当該回収した排熱は、暖房放熱器へ放熱することにより、暖房の用に供することができる。
このような構成において、本体側制御部は、まずもって、冷却水循環路の冷却水と冷却水バイパス路の冷却水が合流した下流側の冷却水合流温度に基づいて、冷却水バイパス路への冷却水配分流量を制御する冷却水循環状態制御を実行することで、例えば、熱電併給部に対し、熱電併給部を適切に冷却できる温度の冷却水を導く状態を維持できる。
更に、本体側制御部は、通信部を介して、暖房運転において熱源機側熱媒吐出部から吐出される熱媒の吐出温度の目標温度を受信し、当該目標温度と、暖房用循環路の熱媒と熱媒バイパス路の熱媒が合流した下流側の熱媒合流温度、及び暖房用熱交換器の出口冷却水温度に基づいて、熱媒バイパス路への熱媒配分流量を制御する熱媒循環状態制御を実行するから、例えば、熱媒合流温度を熱源機側から受信した目標温度に近づける暖房を優先する運転と、暖房用熱交換器の出口冷却水温度が必要以上に低下して、熱電併給部の過度の冷却防止を優先する運転とを、適宜、切り換えながら実行できる。
以上より、コージェネレーションシステムの本体と、暖房放熱器へ循環される熱媒を加熱する熱源機とが別体に構成されているものにおいて、コージェネレーションシステムの本体において、湯水循環ポンプを省略した簡易な構成を採用しながらも、本体側と熱源機側とを適切に連携させた運転を実行できるコージェネレーションシステムを実現できる。
【００１０】
上記目的を達成するためのコージェネレーションシステムの更なる特徴構成は、
前記本体側制御部が、前記冷却水合流温度が、前記熱電併給部にて許容される下限許容温度より高い温度である第１温度になるように、前記冷却水循環状態制御を実行する点にある。
【００１１】
上記特徴構成によれば、本体側制御部は、冷却水循環状態制御に関し、上述の制御に加え、冷却水合流温度が熱電併給部にて許容される下限許容温度より高い温度である第１温度になるように制御するから、熱電併給部をエンジン駆動発電機として備えた場合であっても、熱電併給装置としてのエンジン駆動発電機へ下限許容温度以下の冷却水が導かれることを防止して、エンジンが過度に冷却されることを良好に防止できる。
【００１２】
上記目的を達成するためのコージェネレーションシステムの更なる特徴構成は、
前記本体側制御部が、前記貯湯用熱交換器の出口冷却水温度が前記貯湯用熱交換器の入口冷却水温度よりも所定温度以上高い場合、前記冷却水バイパス路を通流する冷却水の流量を零として、前記冷却水循環状態制御を実行する点にある。
【００１３】
上記特徴構成によれば、本体側制御部は、貯湯用熱交換器の出口冷却水温度が前記貯湯用熱交換器の入口冷却水温度よりも高くなる、即ち、冷却水が貯湯タンクから熱を回収する状態となると、冷却水バイパス路を通流する冷却水の流量を零とする冷却水循環状態制御を実行して、冷却水が貯湯タンクから熱を回収して昇温することを防止して、熱電併給部の不要な過熱を防止できる。
【００１４】
上記目的を達成するためのコージェネレーションシステムの更なる特徴構成は、
前記本体側制御部が、前記暖房用熱交換器の出口冷却水温度が第１閾値以上になると、前記熱媒合流温度が前記目標温度になるように制御を切り換え、前記暖房用熱交換器の出口冷却水温度が第１閾値より低い第２閾値以下になると、前記暖房用熱交換器の出口冷却水温度が前記第１温度より高い第２温度になるように制御を切り換えて、前記熱媒循環状態制御を実行する点にある。
【００１５】
上記特徴構成によれば、例えば、暖房用熱交換器の出口冷却水温度の第１閾値として、冷却水温度として熱電併給部を過度に冷却する虞のない十分に高い温度である温度を設定しておくことで、本体側制御部は、本体側制御部が暖房用熱交換器の出口冷却水温度が第１閾値以上になると、熱媒合流温度が目標温度になるように、即ち、熱電併給部の排熱を暖房へ優先して用いるように制御して、排熱の有効利用を図ることができる。
一方、本体側制御部は、暖房用熱交換器の出口冷却水温度が第１閾値より低い第２閾値以下になると、暖房用熱交換器の出口冷却水温度を、熱電併給部にて許容される下限許容温度より高い第１温度よりも更に高い第２温度になるように制御を切り換えることで、熱電併給部の過度の冷却防止を優先するように制御して、熱電併給部の重故障を良好に防止できる。
【００１６】
上記目的を達成するためのコージェネレーションシステムの更なる特徴構成は、
前記本体側制御部が、前記暖房用熱交換器の入口冷却水温度が前記暖房用熱交換器の出口冷却水温度よりも所定温度以上高い場合、前記熱媒バイパス路を通流する熱媒の流量を零として、前記熱媒循環状態制御を実行する点にある。
【００１７】
上記特徴構成によれば、暖房用熱交換器の出口冷却水温度が入口冷却水温度よりも所定温度だけ高くなる、即ち、暖房用熱交換器にて熱媒側から冷却水側へ放熱する状態となっている場合には、熱媒バイパス路を通流する熱媒の流量を零とすることで、熱媒側から冷却水側へ不要に放熱されることを防止でき、熱源機にて加熱された熱媒の熱が貯湯タンクへ貯湯される非効率な状態を避けることができる。
【００１８】
上述したコージェネレーションシステムを備えた暖房設備の特徴構成は、
前記コージェネレーションシステムと前記熱源機とを、互いの間に熱媒を循環させる前記暖房用循環路を介して接続している点にある。
【００１９】
本発明の暖房設備にあっては、上述したコージェネレーションシステムが奏する作用効果を同様の作用効果を、発揮することができる。
【図面の簡単な説明】
【００２０】
【図１】熱源機の概略構成図
【図２】コージェネレーションシステムの概略構成及び給湯運転の状態を示す図
【図３】コージェネレーションシステムの概略構成及び貯湯運転の状態を示す図
【図４】コージェネレーションシステムの概略構成及び排熱を蓄熱しない暖房運転の状態を示す図
【図５】コージェネレーションシステムの概略構成及び排熱の一部を蓄熱する暖房運転の状態を示す図
【図６】冷却水循環状態制御に係る制御フロー図
【図７】熱媒循環状態制御に係る制御フロー図
【図８】熱媒循環状態制御第１処理に係る制御フロー図
【図９】熱媒循環状態制御第２処理に係る制御フロー図
【発明を実施するための形態】
【００２１】
本発明に係るコージェネレーションシステムの実施形態について、図面に基づいて説明する。
尚、本実施形態に係るコージェネレーションシステム４０は、図１に示すように、熱源機１０に並設されるように構成されており、具体的には、熱源機１０に並設される一の筐体内に各種機器を配置した一体型に構成されている。
【００２２】
〔熱源機〕
先ず、本実施形態のコージェネレーションシステム４０に並設される熱源機１０の構成について、図１に基づいて説明する。
熱源機１０は、詳細については後述するが、一般的な給湯暖房器として構成され、上水道から熱源機側入水部２０ａを介して供給された湯水Ｗを、予め設定された設定給湯温度に加熱して給湯栓３０に供給する、所謂給湯運転を行うと共に、暖房放熱器３３へ加熱した熱媒を循環させる暖房用循環路３４を通流する熱媒Ｈを加熱する暖房運転を行うものであり、後述するコージェネレーションシステム４０に並設されるように構成されている。
外部インターフェースとしては、上水管路２０の一端側に設けられ外部から湯水Ｗを当該上水管路２０に取り込む熱源機側入水部２０ａ、同上水管路２０の他端側に設けられ当該上水管路２０の湯水Ｗを外部に吐出する熱源機側出水部２０ｂ、熱媒流路１６の一端側に設けられ外部から熱媒Ｈを当該熱媒流路１６に取り込む熱源機側熱媒受入部１６ａ、同熱媒流路１６の他端側に設けられ当該熱媒流路１６の熱媒Ｈを外部に吐出する熱源機側熱媒吐出部１６ｂ、及び、天然ガス系都市ガスである燃料ガスＧを取り込む燃料ガス供給部１４、などが設けられている。
熱源機側出水部２０ｂは、給湯栓３０に接続されることで、当該熱源機側出水部２０ｂから吐出された湯水Ｗが給湯栓３０に供給される。
また、熱源機側熱媒受入部１６ａ及び熱源機側熱媒吐出部１６ｂは、温水床暖房パネルなどの暖房放熱器３３との間に設けられた暖房用循環路３４を循環する熱媒Ｈを取り込み又は吐出する形態で、当該暖房用循環路３４に接続される。当該暖房用循環路３４は、熱源機側熱媒吐出部１６ｂから吐出された熱媒Ｈの全量のうち、所定流量が、往きヘッダ３１を介して暖房用循環路３４に設けられた暖房放熱器３３に供給され、一方、暖房放熱器３３を通過した熱媒Ｈが、戻りヘッダ３２を通過し、当該戻りヘッダ３２を通過した熱媒Ｈの全量をコージェネレーションシステム４０へ導く本体側熱媒流路１０４を通流して、熱源機側熱媒受入部１６ａに戻すように配設されている。
【００２３】
熱源機１０には、後述するバーナ１１ａ，１２ａの作動を制御したり、その他弁やポンプなどの各種補機の運転を制御したりするコンピュータからなる熱源機側制御部２５が設けられている。
熱源機側制御部２５は、住居内に設置されたリモコン２７との間で通信部２６を介して通信可能に構成されており、この構成により、リモコン２７から給湯時の設定給湯温度や暖房運転の開始及び停止を操作することができる。また、この通信部２６は、後述するコージェネレーションシステム４０側の通信部９６との間でも、無線又は有線での双方向の通信が可能に構成されている。
【００２４】
熱源機１０は、熱源機側入水部２０ａに取り込んで熱源機側出水部２０ｂから吐出される湯水Ｗを加熱するための給湯用加熱部１１と、熱源機側熱媒受入部１６ａに取り込んで熱源機側熱媒吐出部１６ｂから吐出される熱媒Ｈを加熱するための暖房用加熱部１２とを有する。
給湯用加熱部１１は、調整弁１１ｃを介して供給される燃料ガスＧをファン１３により供給される燃焼用空気により燃焼させるバーナ１１ａと、当該バーナ１１ａから排出される高温の燃焼ガスとの熱交換により上水管路２０を通流する湯水Ｗを加熱する給湯熱交換器１１ｂとを有して構成されている。
一方、暖房用加熱部１２は、調整弁１２ｃを介して供給される燃料ガスＧをファン１３により供給される燃焼用空気により燃焼させるバーナ１２ａと、当該バーナ１２ａから排出される高温の燃焼ガスとの熱交換により熱媒流路１６を通流する熱媒Ｈを加熱する暖房熱交換器１２ｂとを有して構成されている。
【００２５】
また、上水管路２０には、熱源機側入水部２０ａから取り込んだ湯水Ｗの温度（以下「熱源機側入水温度」と呼ぶ場合がある。）を検出する第３温度センサ２１と、熱源機側出水部２０ｂから吐出する湯水Ｗの温度（以下「熱源機側出水温度」と呼ぶ場合がある。）を検出する第４温度センサ２２と、湯水Ｗの通流を検出する水スイッチ２３とが配置されている。
一方、熱媒流路１６には、熱源機側熱媒受入部１６ａから取り込んだ熱媒Ｈの温度（以下「熱源機側入熱媒温度」と呼ぶ場合がある。）を検出する第１温度センサ１７と、熱源機側熱媒吐出部１６ｂから吐出する熱媒Ｈの温度（以下「熱源機側出熱媒温度」と呼ぶ場合がある。）を検出する第２温度センサ１８と、熱媒Ｈを送出する熱媒ポンプ１９とが配置されている。
【００２６】
このような構成により、熱源機側制御部２５は、熱源機側入水部２０ａから供給された湯水Ｗを予めリモコン２７で設定された設定給湯温度に加熱して給湯栓３０に供給する給湯運転や、暖房運転時において暖房放熱器３３との間に設けられた暖房用循環路３４を循環する熱媒Ｈを予め設定された目標温度に加熱する暖房運転を実行可能となる。以下に、給湯運転と暖房運転との詳細について説明を加える。
【００２７】
（給湯運転）
給湯運転は、上水管路２０に配置された水スイッチ２３により給湯栓３０の開栓による湯水Ｗの流通を検知している状態において、第３温度センサ２１で検出される熱源機側入水温度が設定給湯温度未満である場合に、バーナ１１ａで燃料ガスＧを燃焼させる形態で実行される。また、この給湯運転では、第４温度センサ２２で検出される熱源機側出水温度が設定給湯温度になるように、バーナ１１ａでの燃焼量が、燃料ガスＧの供給量を調整する調整弁１１ｃの開度制御により調整される。
従って、給湯栓３０を開栓した場合には、適宜給湯運転が実行されて、その給湯栓３０には設定給湯温度の湯水Ｗが供給されることになる。
【００２８】
更に、上水管路２０には、給湯熱交換器１１ｂの上流側と下流側とを接続する形態でバイパス調整弁２４が設けられている。
給湯運転では、上述のように調整弁１１ｃの開度制御により、ガスの流量を制御しバーナ１１ａでの燃焼量を調整することに加えて、バイパス調整弁２４の開度制御して、バイパス流量を細かく制御することにより、給湯の出湯温度をより正確に設定温度に制御する。
【００２９】
（暖房運転）
暖房運転は、リモコン２７において暖房運転の開始ボタンが押操作されて熱媒流路１６に配置された熱媒ポンプ１９の作動が開始され、熱媒流路１６に熱媒Ｈが通流している状態で、第１温度センサ１７で検出される熱源機側入熱媒温度が目標温度未満である場合に、バーナ１２ａで燃料ガスＧを燃焼させる形態で実行される。尚、当該暖房運転では、第２温度センサ１８で検出される熱源機側出熱媒温度が目標温度になるように、バーナ１２ａの燃焼状態が、燃料ガスＧの流量制御を実行可能であると共に、燃料ガスＧの供給の開始・停止状態を切り替え可能な調整弁１２ｃの開度制御により、調整される。
【００３０】
〔コージェネレーションシステム〕
次に、本発明に係るコージェネレーションシステム４０の実施形態について、図２〜図５に基づいて説明する。
尚、図２〜図５は、コージェネレーションシステム４０の各種運転状態を示すものであるが、湯水Ｗ、冷却水Ｃ、又は熱媒Ｈの流体が通流している配管を太実線で表示し、当該流体が通流してない配管を細実線で表示している。
図２に示すように、コージェネレーションシステム４０は、上述した熱源機１０に並設される一の筐体内に各種機器を配置した一体型に構成されている。
尚、このコージェネレーションシステム４０は、外部インターフェースとして、上水道から湯水Ｗ（上水）を取り込む本体側入水部８０ａ、湯水Ｗを熱源機１０側へ吐出する本体側出水部７８ａ、貯湯タンク９０の排水を行う排水弁７５、熱源機１０側から暖房用の熱媒Ｈを取り込む本体側熱媒受入部５８ａ、熱源機１０側へ同熱媒Ｈを吐出する本体側熱媒吐出部５８ｂなどが設けられている。
更に、当該コージェネレーションシステム４０側に設けられた熱電併給部４１並びに弁やポンプなどの各種補機の運転を制御するコンピュータからなる本体側制御部９５が設けられている。この本体側制御部９５は、通信部９６を介して、熱源機１０側の通信部２６との間で無線又は有線での双方向通信を行ったり、外部に設けた表示部（図示省略）に運転状態などの所定の表示を行ったりするための通信を行うように構成されている。
具体的には、詳細については後述するが、熱源機１０の通信部２６からコージェネレーションシステム４０の通信部９６に対しては、熱源機１０側で設定された設定給湯温度や暖房運転の目標温度が出力される。
【００３１】
コージェネレーションシステム４０は、エンジン駆動式発電機などのような電力と熱とを発生する熱電併給部４１を備え、発生した電力は適宜インバータ等を介して商用電源と連系する形態で外部の電力負荷等に供給される。また、熱電併給部４１が発生した熱は湯水Ｗの加熱に利用され、かかる加熱された湯水Ｗを貯留する貯湯タンク９０が設けられている。
【００３２】
熱電併給部４１は、内部に設けられた冷却水ジャケット（図示省略）を通流する冷却水Ｃにより冷却される構造を有し、その冷却水Ｃが循環する冷却水循環路４２が設けられている。
冷却水循環路４２には、冷却水Ｃの循環方向に沿って、冷却水Ｃを送り出す冷却水ポンプ４６、冷却水Ｃの通流を断続可能な電磁弁４７、熱電併給部４１における冷却水ジャケット（図示省略）、当該冷却水ジャケットから吐出された冷却水Ｃで、冷却水ジャケットの下流側に設けられる暖房用熱交換器５６への冷却水入温度を検出する第６温度センサ５０、後述する熱媒バイパス路１０４ｂを通流する熱媒Ｈと冷却水循環路４２で冷却水ジャケットを出た後の冷却水Ｃとを熱交換する暖房用熱交換器５６と、暖房用熱交換器５６の出口冷却水温度を検出する第８温度センサ５７と、冷却水循環路４２の側と冷却水バイパス路４３の側とを通流する冷却水Ｃの配分流量を制御する冷却水三方調整弁４５と、冷却水Ｃを一次的に貯留するバッファタンク５１とが、記載の順で配設されている。
バッファタンク５１には、一時的に貯留される冷却水Ｃの温度で、冷却水三方調整弁４５にて合流された下流側の冷却水合流温度を検出する第５温度センサ４９が設けられている。また、本体側入水部８０ａに供給された湯水Ｗが、電磁弁５２を介して適宜冷却水Ｃとしてバッファタンク５１に補充される。
冷却水バイパス路４３には、貯湯タンク９０に貯留される湯水Ｗと冷却水Ｃとを熱交換する貯湯用熱交換器５５が設けられると共に、貯湯用熱交換器５５の出口冷却水温度を検出する第７温度センサ５４が設けられている。
【００３３】
即ち、熱電併給部４１において熱を発生している状態で、且つ熱媒ポンプ１９を作動させて、暖房用熱交換器５６に熱媒Ｈを通流させると共に、冷却水ポンプ４６を作動させ、冷却水循環路４２に冷却水Ｃを循環させると、熱電併給部４１を通過して加熱された冷却水Ｃが、貯湯用熱交換器５５及び暖房用熱交換器５６を通過することで湯水Ｗ及び熱媒Ｈとの間で熱交換を行い、再び熱電併給部４１に供給されることになる。
尚、当該実施形態にあっては、本体側制御部９５が、冷却水循環状態制御において、冷却水三方調整弁４５の開度制御を実行することになるが、その詳細な制御については、後述する。
【００３４】
また、冷却水循環路４２には、熱電併給部４１の上流側と下流側とを繋ぐ熱電併給部バイパス路４４と、熱電併給部バイパス路４４を通流する冷却水Ｃの流量を調整する電磁弁４８と、熱電併給部４１の入口直前での冷却水循環路４２の流量を調整する電磁弁４７とが設けられている。これにより、冷却水循環路４２に冷却水Ｃが循環している状態において、熱電併給部４１の上流側に配置された電磁弁４７を閉弁させると共に熱電併給部バイパス路４４に配置された電磁弁４８を開弁させることで、冷却水Ｃの全量を、熱電併給部４１をバイパスさせて熱電併給部バイパス路４４に通流できる。
【００３５】
尚、暖房用熱交換器５６の配設位置に関し説明を追加すると、当該暖房用熱交換器５６は、冷却水循環路４２での冷却水Ｃの流れ方向で、熱電併給部４１の下流側での冷却水循環路４２と熱電併給部バイパス路４４との接続部位と、冷却水バイパス路４３と冷却水循環路４２との上流側接続部位（冷却水バイパス路４３における冷却水Ｃの流れ方向での上流側接続部位）との間に、配設されている。
【００３６】
貯湯タンク９０は、下部９０ｂに湯水Ｗが供給され上部９０ａから本体側出水部７８ａに湯水Ｗが取り出される密閉式タンクとして構成されている。
貯湯タンク９０の上部９０ａに接続された上部管路６６は、湯水三方調整弁７７及び出湯管路７８を介して本体側出水部７８ａに接続されており、その湯水三方調整弁７７の上流側には、貯湯タンク９０の上部９０ａから上部管路６６に取り出された湯水Ｗの温度（以下「タンク取出湯水温度」と呼ぶ場合がある。）を検出する第９温度センサ７６が設けられている。尚、このタンク取出湯水温度の検出は、第９温度センサ７６の代わりに、貯湯タンク９０の上下方向に分散配置した複数の温度センサ９１のうち最上部に設けられた温度センサ９１ａで行っても構わない。
また、この湯水三方調整弁７７には、本体側入水部８０ａに通じる給水管路８２が接続されている。更に、出湯管路７８と給水管路８２とは、バイパス管路８６により接続されており、このバイパス管路８６には、湯水Ｗの通流を断続可能な電磁弁８７が配置されている。
即ち、上記湯水三方調整弁７７は、貯湯タンク９０の上部９０ａから本体側出水部７８ａに供給される湯水Ｗに対し、混合比調整を伴って、給水管路８２から供給される湯水Ｗを混合可能な混合部として機能する。
尚、出湯管路７８のバイパス管路８６との接続部の下流側には、湯水Ｗの通流方向に沿って、湯水Ｗの流量を検出する流量センサ７９、本体側出水部７８ａから吐出される湯水Ｗの温度（以下「本体側出水温度」と呼ぶ場合がある。）を検出する第１０温度センサ８１が、記載の順に配置されている。
一方、給水管路８２のバイパス管路８６との接続部の上流側には、湯水Ｗの通流方向に沿って、湯水Ｗの圧力を調整する減圧弁８４、本体側入水部８０ａに供給された湯水Ｗの温度を検出する第１１温度センサ８５、湯水Ｗの逆流を阻止する逆止弁８３が、記載の順に配置されている。
【００３７】
また、給水管路８２は、貯湯タンク９０の下部９０ｂに接続された底部管路７２に対して逆止弁８９を介して接続されており、この構成により、貯湯タンク９０では、上部９０ａから湯水Ｗが取り出されると同時に、下部９０ｂから湯水Ｗが、給水管路８２、及び底部管路７２を介して供給されることになる。
【００３８】
暖房用循環路３４に関し説明を加えると、暖房用循環路３４は、戻りヘッダ３２を通過した熱媒Ｈの全量をコージェネレーションシステム４０へ導く本体側熱媒流路１０４を有すると共に、当該本体側熱媒流路１０４を通流する熱媒Ｈの一部又は全部を、暖房用熱交換器５６の側へバイパスする熱媒バイパス路１０４ｂとを有する。
説明を追加すると、本体側熱媒流路１０４は、本体側熱媒受入部５８ａ及び本体側熱媒吐出部５８ｂを介して、コージェネレーションシステム４０の筐体内に配設される筐体内本体側熱媒流路１０４ａに接続されている。更に、当該筐体内本体側熱媒流路１０４ａの側と、熱媒バイパス路１０４ｂの側への熱媒Ｈの配分流量を調整可能な、熱媒三方調整弁１１３が設けられている。
筐体内本体側熱媒流路１０４ａには、筐体内本体側熱媒流路１０４ａと熱媒バイパス路１０４ｂの双方を通流した熱媒が合流する部位の下流側の熱媒温度である熱媒合流温度を検出する第１２温度センサ１０２ｂが設けられている。
詳細については後述するが、本体側制御部９５は、熱媒三方調整弁１１３により、筐体内本体側熱媒流路１０４ａの側と熱媒バイパス路１０４ｂの側への熱媒Ｈの配分流量を調整する形態で、熱媒循環状態制御を実行するように構成されている。
ここで、当該実施形態に係るコージェネレーションシステム４０にあっては、その筐体内に熱媒Ｈを圧送する熱媒ポンプを備えておらず、熱源機１０の内部に設けられる熱媒ポンプ１９の吐出圧力にて熱媒が循環される。
【００３９】
以上のような構成により、コージェネレーションシステム４０は、以下に示す、給湯制御を実行することにより実現される給湯運転と、冷却水循環状態制御及び熱媒循環状態制御を実行することにより実現される貯湯運転及び暖房運転とを実行可能とされる。
ここで、暖房運転には、熱源機側出熱媒温度の目標温度が高温である高温暖房運転と、当該目標温度が低温である低温暖房運転とがあり、更に、低温暖房運転には、ホットダッシュ運転、通常低温暖房運転、床暖房低負荷運転があり、夫々の運転における目標温度は、異なる温度となっている。
そこで、以下では、給湯運転を実現するための給湯制御につき説明した後、貯湯運転及び暖房運転を実現するための冷却水循環状態制御及び熱媒循環状態制御について説明する。
【００４０】
（給湯制御）
図２に示すように、給湯制御は、給湯栓３０が開栓されることで熱源機１０の熱源機側出水部２０ｂから給湯栓３０へ湯水Ｗが供給され、それに伴って本体側出水部７８ａから熱源機側入水部２０ａへ湯水Ｗが供給され、それに伴って出湯管路７８に配置された流量センサ７９で湯水Ｗの通流が検知された状態で実行される。
かかる給湯制御では、貯湯タンク９０の上層の比較的高温の湯水Ｗが、上部９０ａから上部管路６６に取り出されて、湯水三方調整弁７７を介して出湯管路７８に供給される。
更に、この給湯制御では、一旦、目標出水温度を、熱源機１０側から入力を受け付けた設定給湯温度と等しい温度又は同設定給湯温度よりも放熱分を考慮した若干高めの温度に決定した状態で、湯水三方調整弁７７の開度が制御される。
すなわち、第９温度センサ７６で検出されるタンク取出湯水温度が目標出水温度以上である場合には、湯水三方調整弁７７において適当な湯水Ｗが混合されることで、目標出水温度の湯水Ｗが得られ、その湯水Ｗが熱源機１０の熱源機側入水部２０ａに供給されることになる。
熱源機１０においては、熱源機側入水温度が設定給湯温度以上であれば、その湯水Ｗを再加熱する必要がないために、熱源機１０で給湯運転が行われることなく、この設定給湯温度の湯水Ｗがそのまま給湯栓３０に供給されることになる。
【００４１】
一方、第９温度センサ７６で検出されるタンク取出湯水温度が目標出水温度未満である場合には、目標出水温度を設定給湯温度よりも十分に低い温度（例えば３０℃）に設定して、湯水三方調整弁７７を介して供給される湯水Ｗの量を増加させ、本体側出水部７８ａから低く設定された目標出湯温度以下の湯水Ｗを吐出するようにする。
以上の給湯制御が実行される形態で給湯運転が実現される。
【００４２】
（冷却水循環状態制御）
冷却水循環状態制御は、冷却水循環路４２を循環する冷却水Ｃの循環状態を制御するものである。当該冷却水循環状態制御は、本体側制御部９５が、冷却水循環路４２の冷却水Ｃと冷却水バイパス路４３の冷却水Ｃとが合流した下流側の冷却水合流温度（第５温度センサ４９で検出される温度）、及び貯湯用熱交換器５５の入口冷却水温度（第８温度センサ５７で検出される温度）と貯湯用熱交換器５５の出口冷却水温度（第７温度センサ５４で検出される温度）に基づいて、冷却水バイパス路４３への冷却水配分流量を制御する。
以下、当該冷却水循環状態制御を、図６の制御フローに基づいて説明する。尚、当該冷却水循環状態制御は、熱電併給部４１が稼働していることを条件として、実行されるものとする。
【００４３】
本体側制御部９５は、熱電併給部４１が稼働し始めると、冷却水循環状態制御を開始する。
本体側制御部９５は、第５温度センサ４９にて検出される冷却水合流温度が、熱電併給部４１にて許容される下限許容温度より高い温度である第１温度（例えば、６５℃）より高いか否かを判定（＃１０１）し、高い場合には、冷却水三方調整弁４５の開度を、冷却水バイパス路４３側を通流する冷却水Ｃの流量が増加するように制御（＃１０２）し、冷却水合流温度が第１温度より低い場合は、何もしない。
更に、本体側制御部９５は、第５温度センサ４９にて検出される冷却水合流温度が、熱電併給部４１にて許容される下限許容温度より高い温度である第１温度（例えば、６５℃）より低いか否かを判定（＃１０３）し、低い場合には、冷却水三方調整弁４５の開度を、冷却水バイパス路４３側を通流する冷却水Ｃの流量が減少するように制御（＃１０４）し、冷却水合流温度が第１温度より高い場合は、何もしない。
【００４４】
即ち、本体側制御部９５は、上述の＃１０１〜１０４の処理により、熱電併給部４１としてのエンジン駆動発電機に下限許容温度より低い冷却水Ｃが流れて、熱電併給部４１としてのエンジン駆動発電機が損傷することを防止するべく、熱電併給部４１としてのエンジン駆動発電機に導かれる冷却水Ｃの温度が、熱電併給部４１としてのエンジン駆動発電機にて許容される下限許容温度より高い温度である第１温度（例えば、６５℃）になるように、冷却水三方調整弁４５の開度調整を実行する。
因みに、当該冷却水循環状態制御では、冷却水流量は一定（例えば、５Ｌ／ｍｉｎ）に制御されるものとし、冷却水三方調整弁４５の冷却水バイパス路４３側の開度（目標位置）は、以下の〔式１〕に従って制御される。
【００４５】
目標位置＝現在位置＋Ａ（冷却水合流温度−第１温度）・・・・〔式１〕
【００４６】
これまで説明したように、当該実施形態においては、第１温度は６５℃であり、冷却水合流温度は、６０℃〜７３℃の間で変化するものとし、Ａは正の定数であるとする。当該〔式１〕では、目標位置が大きいほど、冷却水三方調整弁４５の冷却水バイパス路４３側の開度は開き側へ制御される。
【００４７】
次に、本体側制御部９５は、貯湯用熱交換器５５の入口冷却水温度（第８温度センサ５７で測定される温度）が、貯湯用熱交換器５５の出口冷却水温度（第７温度センサ５４で測定される温度）よりも所定温度（例えば、２℃）以上高いか否かを判定（＃１０５）し、高い場合には、冷却水三方調整弁４５の冷却水バイパス路４３側の開度を零に設定（＃１０６）し、所定温度以上高くなければ何もしない。
即ち、本体側制御部９５は、冷却水Ｃが貯湯タンク９０にて放熱できず吸熱して昇温する場合には、熱電併給部４１としてのエンジン駆動発電機へ導かれる冷却水Ｃの温度を低下させるべく、冷却水Ｃを冷却水バイパス路４３（貯湯用熱交換器５５）の側へ導かない制御を行う。
【００４８】
本体側制御部９５は、冷却水三方調整弁４５の冷却水バイパス路４３側の開度が零になっている時間が一定時間（例えば、３分）以上続いていると判定した場合（＃１０７）、冷却水循環状態制御終了処理として、冷却水ポンプ４６を停止すると共に、熱電併給部４１を停止する処理を行う。
【００４９】
（熱媒循環状態制御）
熱媒循環状態制御は、冷却水循環状態制御が実行されている状態において、リモコン２７において暖房運転の開始ボタンが押操作された場合に実行される処理である。
当該熱媒循環状態制御は、主には、暖房運転を優先する処理である「熱媒循環状態制御第１処理」と、熱電併給部４１としてのエンジン駆動発電機の過冷却を防止する処理である「熱媒循環状態制御第２処理」とを、切り換える制御であるので、まず、「熱媒循環状態制御第１処理」と「熱媒循環状態制御第２処理」との夫々について説明する。
【００５０】
＜熱媒循環状態制御第１処理＞
本体側制御部９５は、熱媒循環状態制御が開始されると、まず、通信部９６を介して「目標温度」を受信する。当該「目標温度」は、リモコン２７にて設定される暖房運転の種類（高温暖房運転と、低温暖房運転とがあり、低温暖房運転には、ホットダッシュ運転、通常低温暖房運転、床暖房低負荷運転がある）ごとに異なる値であり、暖房運転の種類が切り換えられると、本体側制御部９５はその都度、「目標温度」を受信する。
【００５１】
熱媒循環状態制御第１処理においては、図８の制御フローに示すように、本体側制御部９５は、筐体内本体側熱媒流路１０４ａを通流した熱媒Ｈと熱媒バイパス路１０４ｂを通流した熱媒Ｈとの合流温度である熱媒合流温度（第１２温度センサ１０２ｂにて測定される温度）が、「目標温度」より高いか否かを判定（＃３０１）し、高い場合には、熱媒三方調整弁１１３の熱媒バイパス路１０４ｂ側の開度を調整して、熱媒バイパス路１０４ｂを通流する熱媒の流量を減らし（＃３０２）、低い場合には何もしない。
次に、本体側制御部９５は、熱媒合流温度（第１２温度センサ１０２ｂにて測定される温度）が、「目標温度」より低いか否かを判定（＃３０３）し、低い場合には、熱媒三方調整弁１１３の熱媒バイパス路１０４ｂ側の開度を調整して、熱媒バイパス路１０４ｂを通流する熱媒Ｈの流量を増やし（＃３０４）、高い場合には何もしない。
【００５２】
即ち、当該熱媒循環状態制御第１処理では、熱媒合流温度が「目標温度」となるように、熱媒三方調整弁１１３の熱媒バイパス路１０４ｂ側の開度を調整する処理であり、暖房運転が優先して実行されることとなる。
因みに、当該熱媒循環状態制御第１処理では、本体側制御部９５は、熱媒三方調整弁１１３の熱媒バイパス路１０４ｂ側の開度（目標位置）は、以下の〔式２〕に従って制御される。
【００５３】
目標位置＝現在位置＋Ｂ（熱媒合流温度−目標温度）・・・・〔式２〕
【００５４】
ここで、Ｂは正の定数であるとする。当該〔式２〕では、目標位置が大きいほど、熱媒三方調整弁１１３の熱媒バイパス路１０４ｂ側の開度は開き側へ制御される。
【００５５】
＜熱媒循環状態制御第２処理＞
熱媒循環状態制御第２処理においては、図９の制御フローに示すように、本体側制御部９５は、暖房用熱交換器５６の出口冷却水温度（第８温度センサ５７で検出される温度）が、上述した第１温度より高い温度である第２温度（例えば、７０℃）より高いか否かを判定（＃４０１）し、高い場合には、熱媒三方調整弁１１３の熱媒バイパス路１０４ｂ側の開度を調整し、熱媒バイパス路１０４ｂを通流する熱媒Ｈの流量を増やし（＃４０２）、低い場合には何もしない。
次に、本体側制御部９５は、暖房用熱交換器５６の出口冷却水温度（第８温度センサ５７で検出される温度）が、上述した第１温度より高い温度である第２温度（例えば、７０℃）より低いか否かを判定（＃４０３）し、低い場合には、熱媒三方調整弁１１３の熱媒バイパス路１０４ｂ側の開度を調整し、熱媒バイパス路１０４ｂを通流する熱媒の流量を減らし（＃４０４）、高い場合には何もしない。
【００５６】
即ち、当該熱媒循環状態第２処理では、暖房用熱交換器５６の出口冷却水温度（第８温度センサ５７で検出される温度）が、上述した第１温度より高い温度である第２温度（例えば、７０℃）となるように、熱媒三方調整弁１１３の熱媒バイパス路１０４ｂ側の開度を調整する。当該処理は、熱電併給部４１に導かれる冷却水Ｃの温度を、少なくともその下限許容温度以上に保つ処理である。
因みに、当該熱媒循環状態制御第２処理では、本体側制御部９５は、熱媒三方調整弁１１３の熱媒バイパス路１０４ｂ側の開度（目標位置）は、以下の〔式３〕に従って制御される。
【００５７】
目標位置＝現在位置＋Ｃ（暖房用熱交換器の出口冷却水温度−第２温度）・・・〔式３〕
【００５８】
ここで、第２温度は、例えば７０℃に設定され、Ｃは正の定数であるとする。当該〔式３〕では、目標位置が大きいほど、熱媒三方調整弁１１３の熱媒バイパス路１０４ｂ側の開度は開き側へ制御される。
【００５９】
以下、上述した「熱媒循環状態制御第１処理」と「熱媒循環状態制御第２処理」の切り換え制御を含む熱媒循環状態制御について、説明する。
上述したように、熱媒循環状態制御は、冷却水循環状態制御が実行されている状態において、リモコン２７で暖房運転の開始ボタンが押操作された場合に実行される処理であり、本体側制御部９５は、熱媒循環状態制御が開始されると、まず、通信部９６を介して「目標温度」を受信する。当該「目標温度」は、「熱媒循環状態制御第１処理」を実行する場合に用いられる。
本体側制御部９５は、暖房用熱交換器５６の出口冷却水温度（第８温度センサ５７で検出される温度）が、第１閾値（例えば、６８℃）以上か否かを判定（＃２０１）し、第１閾値以上の十分に高い温度である場合、暖房運転を優先すべく、「熱媒循環状態制御第１処理」を実行し（＃２０３）、第１閾値未満の場合、熱電併給部４１としてのエンジン駆動発電機の過冷却を防止するべく、「熱媒循環状態制御第２処理」を実行する（＃２０２）。
【００６０】
この後、本体側制御部９５は、現状で「熱媒循環状態制御第１処理」と「熱媒循環状態制御第２処理」との何れが実行されているかを判定（＃２０４）し、「熱媒循環状態制御第１処理」が実行されていると判定した場合、暖房用熱交換器５６の出口冷却水温度（第８温度センサ５７で検出される温度）が、第１閾値よりも低い第２閾値（例えば、６３℃）以下か否かを判定（＃２０５）し、第２閾値以下である場合、即ち、暖房用熱交換器５６にて冷却水Ｃの熱が回収され過ぎている場合、熱電併給部４１としてのエンジン駆動発電機の過冷却を防止するべく、「熱媒循環状態制御第２処理」を実行する（＃２０７）。一方、暖房用熱交換器５６の出口冷却水温度（第８温度センサ５７で検出される温度）が、第１閾値よりも低い第２閾値（例えば、６３℃）より高い場合、「熱媒循環状態制御第１処理」を実行する（＃２０６）。
【００６１】
尚、本体側制御部９５は、＃２０４の判定において、「熱媒循環状態制御第２処理」が実行されていると判定した場合、＃２０１、＃２０２、＃２０３と同一の処理を再度実行する（＃２０８、＃２０９、＃２１０）。
【００６２】
次に、本体側制御部９５は、暖房用熱交換器５６の出口冷却水温度（第８温度センサ５７で検出される温度）が、暖房用熱交換器５６の入口冷却水温度（第６温度センサ５０で検出される温度）よりも所定温度（例えば、２℃）以上高いか否かを判定（＃２１１）し、所定温度以上高い場合、即ち、熱電併給部４１の起動時等で暖房用熱交換器５６で熱媒Ｈから冷却水Ｃのへ温熱が伝達する場合、熱媒三方調整弁１１３の熱媒バイパス路１０４ｂ側の開度を調整して、熱媒バイパス路１０４ｂを通流する熱媒Ｈの流量を零にする（＃２１２）。一方、本体側制御部９５は、所定温度以上高くない場合、何もしない。
【００６３】
本体側制御部９５は、冷却水循環状態制御が停止された、もしくはリモコン２７において暖房運転の終了ボタンが押操作されたと判定した場合（＃２１３）、熱媒循環状態制御終了処理として、熱媒三方調整弁１１３の熱媒バイパス路１０４ｂ側の開度を調整して、熱媒バイパス路１０４ｂを通流する熱媒Ｈの流量を零にする。一方、冷却水循環状態制御が停止されない、且つリモコン２７において暖房運転の終了ボタンが押操作されない場合、＃２０４以降の処理を繰り返し実行する。
【００６４】
冷却水循環状態制御が実行されるときで、リモコン２７において暖房運転の開始ボタンが押操作されておらず、熱媒循環状態制御が実行されていない場合、図３に示すような冷却水Ｃの循環状態が実現され、熱電併給部４１の排熱が貯湯タンク９０の湯水Ｗに貯留されることとなる。
【００６５】
冷却水循環状態制御が実行されるときで、リモコン２７において暖房運転の開始ボタンが押操作され、熱媒循環状態制御が実行されている場合であって、図６に示す冷却水循環状態制御の＃１０６で冷却水バイパス路４３を通流する冷却水Ｃの流量が零にされている場合、図４に示すように、排熱を蓄熱しない暖房運転が実行されることとなる。
【００６６】
冷却水循環状態制御が実行されるときで、リモコン２７において暖房運転の開始ボタンが押操作され、熱媒循環状態制御が実行されている場合であって、図６に示す冷却水循環状態制御の＃１０５の判定において、貯湯用熱交換器５５の入口冷却水温度（第８温度センサ５７で測定される温度）が、貯湯用熱交換器５５の出口冷却水温度（第７温度センサ５４で測定される温度）よりも所定温度（例えば、２℃）以上高くない場合、図５に示すような排熱の一部を蓄熱する暖房運転が実行されることとなる。
【００６７】
〔別実施形態〕
（１）上記実施形態にあっては、熱媒バイパス路１０４ｂは、コージェネレーションシステム４０の筐体の内部に配設されるものとし、当該熱媒バイパス路１０４ｂと本体側熱媒流路１０４とを通流する熱媒Ｈの配分流量を切り換える熱媒三方調整弁１１３についても、コージェネレーションシステム４０の筐体の内部に配設されるものとした。
しかしながら、熱媒バイパス路１０４ｂは、コージェネレーションシステム４０の筐体の外部まで延設する構成を採用すると共に、熱媒三方調整弁１１３をコージェネレーションシステム４０の筐体の外部に設ける構成を採用しても構わない。
この場合、熱媒バイパス路１０４ｂは、戻りヘッダ３２と熱源機側熱媒受入部１６ａとの直前まで延設する構成が採用されることとなり、熱媒三方調整弁１１３は、コージェネレーションシステム４０及び熱源機１０の外部へ設けられることとなる。
【００６８】
（２）上記実施形態において、熱電併給部４１は、エンジン駆動発電機から構成されるものであるとして説明した。しかしながら、本発明は、熱電併給部４１は、固体酸化物形燃料電池や固体高分子形燃料電池等から構成しても構わない。
【００６９】
（３）上記実施形態では、コージェネレーションシステム４０の内部において、熱媒Ｈを循環するための熱媒ポンプを備えない構成として、熱媒Ｈを循環する暖房用循環路３４を構成する本体側熱媒流路１０４は、戻りヘッダ３２に戻された熱媒Ｈの全量を、本体側の暖房用熱交換器５６へ導いた後、直接、熱源機側熱媒受入部１６ａへ導くように構成した。
しかしながら、当該本体側熱媒流路１０４は、戻りヘッダ３２に戻された熱媒Ｈの一部を、本体側の暖房用熱交換器５６へ導いた後、一端、戻りヘッダ３２に戻すように構成しても構わない。この場合、本体側熱媒流路１０４には、当該流路を通流する熱媒Ｈの流量を制御するための熱媒ポンプを設ける構成を採用することとなる。
【００７０】
（４）上記実施形態では、熱源機１０を、給湯運転と暖房運転との両方を実行可能なように、暖房機と給湯器とを組み合わせたものとして構成したが、別に当該熱源機１０を暖房専用機として構成しても構わない。
【００７１】
（５）上記実施形態では、給湯運転において、本体側出水温度を目標出水温度に調整するために、混合部として機能する湯水三方調整弁７７を備え、貯湯タンク９０の上部９０ａから取り出した湯水Ｗに低温の湯水Ｗを混合比調整を伴って混合するように構成したが、例えば、貯湯タンク９０の上層に目標出水温度の湯水Ｗを貯留するように構成して、かかる混合部等の構成を省略しても構わない。
【００７２】
（６）上記実施形態では、貯湯タンク９０を、温度成層を形成する形態で加熱された湯水Ｗを貯留するように構成された密閉式タンクとしたが、開放式タンクとしたり、更には、加熱された湯水Ｗのみを貯留するように構成しても構わない。
【００７３】
（７）上記実施形態では、熱源機１０に並設される熱電併給部４１や貯湯タンク９０やその他各種機器について、一の筐体内に配置して一体型に構成したが、別に、複数の筐体の夫々に分配して複数のユニットからなるものとして構わない。
【００７４】
（８）本願の権利範囲には、コージェネレーションシステム４０と熱源機１０とを、互いの間を熱媒Ｈを循環させる暖房用循環路３４を介して接続している暖房設備も含むものとする。
【００７５】
上述する各実施形態の構成は、それぞれ単独で適用されるものに限られず、矛盾が生じない限り、他の実施形態の構成と組み合わせて適用することも可能である。
【産業上の利用可能性】
【００７６】
本発明は、コージェネレーションシステムの本体と、暖房放熱器へ循環される熱媒を加熱する熱源機とが別体に構成されているものにおいて、本体側と熱源機側とを適切に連携させた運転を実行することにより、全体としての熱効率を向上させながらも、熱交換器破れによる熱源機からの湯水の溢れ出しを防止可能なコージェネレーションシステム、及びそれを備えた暖房設備として好適に利用可能である。
【符号の説明】
【００７７】
１０      ：熱源機
１６ａ    ：熱源機側熱媒受入部
１６ｂ    ：熱源機側熱媒吐出部
３３      ：暖房放熱器
３４      ：暖房用循環路
４０      ：コージェネレーションシステム
４１      ：熱電併給部
４２      ：冷却水循環路
４３      ：冷却水バイパス路
５５      ：貯湯用熱交換器
５６      ：暖房用熱交換器
５８ａ    ：本体側熱媒受入部
５８ｂ    ：本体側熱媒吐出部
９０      ：貯湯タンク
９５      ：本体側制御部
９６      ：通信部
１０４    ：本体側熱媒流路
１０４ｂ  ：熱媒バイパス路
Ｃ        ：冷却水
Ｈ        ：熱媒
Ｗ        ：湯水
【図１】
2016205751.tif 000003
【図２】
2016205751.tif 000004
【図３】
2016205751.tif 000005
【図４】
2016205751.tif 000006
【図５】
2016205751.tif 000007
【図６】
2016205751.tif 000008
【図７】
2016205751.tif 000009
【図８】
2016205751.tif 000010
【図９】
2016205751.tif 000011